(57)【要約】【課題】導体に対する十分な接圧を確保することのできる圧着端子の圧着構造を提供する。【解決手段】導体圧着部１１の左右の導体加締片１１Ｂの上半部の前端縁と第１の繋ぎ部１３の左右の低背の側板１３Ｂの上端縁との間に、導体加締片１１Ｂから繋ぎ部１３への移行を滑らかにするための略三角形状の繋ぎ出し部１３Ｃが設けられており、圧着後の状態における繋ぎ部１３の外幅寸法をＬ１とし、左右の導体加締片１１Ｂの端縁と繋ぎ出し部１３Ｃの結合点の左右間寸法をＬ２とした場合、（１／２）Ｌ１≦Ｌ２＜Ｌ１に設定されている。【選択図】図２
2011103264.tif 000002
【特許請求の範囲】
【請求項１】
端子長手方向の前部に電気接続部が設けられ、その後部に第１の繋ぎ部を介して、電線の端末の導体に圧着して接続される導体圧着部が設けられ、さらにその後部に第２の繋ぎ部を介して被覆加締部が設けられ、
前記導体圧着部が、底板と、該底板の左右両側縁から上方に延設されて該底板の内面上に配された前記導体を包むように加締められる一対の導体加締片と、で断面略Ｕ字状に形成され、
前記第１の繋ぎ部と第２の繋ぎ部が共に、底板と、該底板の左右両側縁から上方に起立した低背の側板と、で断面Ｕ字状に形成され、
前記導体圧着部の底板と前記第１および第２の繋ぎ部の底板とが連続して形成され、前記導体圧着部の導体加締片の下半部と前記第１および第２の繋ぎ部の低背の側板とが連続して形成されている圧着端子の圧着構造において、
前記左右の導体加締片の上半部の前端縁と前記第１の繋ぎ部の左右の低背の側板の上端縁との間、および、前記左右の導体加締片の上半部の後端縁と前記第２の繋ぎ部の左右の低背の側板の上端縁との間の少なくともいずれかに一方に、前記導体加締片から繋ぎ部への移行を滑らかにするための略三角形状の繋ぎ出し部が設けられており、圧着後の状態における前記繋ぎ部の外幅寸法をＬ１とし、前記左右の導体加締片の端縁と前記繋ぎ出し部の結合点の左右間寸法をＬ２とした場合、
（１／２）Ｌ１≦Ｌ２＜Ｌ１
に設定されていることを特徴とする圧着端子の圧着構造。
【発明の詳細な説明】
【技術分野】
【０００１】
本発明は、例えば、自動車の電装系に使用される断面Ｕ字状の導体圧着部を有したオープンバレルタイプの圧着端子の圧着構造に関する。
【背景技術】
【０００２】
図３は、例えば、特許文献１に記載された従来の圧着端子の構成を示す斜視図である。
【０００３】
この圧着端子１００は、端子の長手方向（接続する電線の導体の長手方向でもある）の前部に、相手コネクタ側の端子に接続される電気接続部１０を備え、その後部に、電線（図示略）の端末の露出した導体に加締められる導体圧着部１１を備え、さらにその後部に、電線の絶縁被覆の付いた部分に加締められる被覆加締部１２を備えている。また、電気接続部１０と導体圧着部１１の間に、それらの間を繋ぐ第１の繋ぎ部１３を備え、導体圧着部１１と被覆加締部１２の間に、それらの間を繋ぐ第２の繋ぎ部１４を備えている。
【０００４】
導体圧着部１１は、底板１１Ａと、該底板１１Ａの左右両側縁から上方に延設されて該底板１１Ａの内面上に配された電線の導体を包むように加締められる一対の導体加締片１１Ｂ，１１Ｂとで断面略Ｕ字状に形成されている。また、被覆加締部１２は、底板１２Ａと、該底板１２Ａの左右両側縁から上方に延設されて該底板１２Ａの内面上に配された電線（絶縁被覆の付いた部分）を包むように加締められる一対の被覆加締片１２Ｂ，１２Ｂとで断面略Ｕ字状に形成されている。
【０００５】
また、導体圧着部１１の前後の第１の繋ぎ部１３および第２の繋ぎ部１４は、共に、底板１３Ａ、１４Ａと、該底板１３Ａ、１４Ａの左右両側縁から上方に起立した低背の側板１３Ｂ、１４Ｂとで断面Ｕ字状に形成されている。
【０００６】
そして、前部の電気接続部１０の底板（図示略）から最後部の被覆加締部１２までの範囲の底板（第１の繋ぎ部１３の底板１３Ａ、導体圧着部１１の底板１１Ａ、第２の繋ぎ部１４の底板１４Ａ、被覆加締部１２の底板１２Ａ）が、１枚の帯板状に連続して形成されている。また、第１の繋ぎ部１３の低背の側板１３Ｂの前後端は、電気接続部１０の側板（符号省略）の後端および導体圧着部１１の導体加締片１１Ｂの前端の各下半部にそれぞれ連続し、第２の繋ぎ部１４の低背の側板１４Ｂの前後端は、導体圧着部１１の導体加締片１１Ｂの後端および被覆加締部１２の被覆加締片１２Ｂの前端の各下半部にそれぞれ連続している。
【０００７】
また、導体圧着部１１の内面には、電線の導体の長手方向（端子長手方向）と直交する方向に延びる複数本の凹溝状のセレーション１８が設けられている。
【０００８】
この圧着端子１００の導体圧着部１１を電線の端末の導体に圧着するには、図示しない下型（アンビル）の載置面（上面）上に圧着端子１００を載せると共に、電線の端末の導体を導体圧着部１１の導体加締片１１Ａ間に挿入し、底板１１Ａの上面に載せる。そして、上型（クランパ）を下型に対して相対的に下降させることにより、上型の案内斜面で導体加締片１１Ｂの先端側を徐々に内側に倒して行く。
【０００９】
そして、さらに上型（クランパ）を下型に対して相対的に下降させることにより、最終的に、上型の案内斜面から中央の山形部に連なる湾曲面で、導体加締片１１Ｂの先端を導体側に折り返すように丸めて、導体加締片１１Ｂの先端同士を擦り合わせながら導体に食い込ませることにより、導体を包むように導体加締片１１Ｂを加締める。
【００１０】
以上の操作により、圧着端子１００の導体圧着部１１を電線の導体に圧着によって接続することができる。なお、被覆加締部１２についても同様に、下型と上型を用いて被覆加締片１２Ｂを内側に徐々に曲げて行き、被覆加締片１２Ｂを電線の絶縁被覆の付いた部分に加締める。こうすることにより、圧着端子１００を電線に電気的および機械的に接続することができる。
【先行技術文献】
【特許文献】
【００１１】
【特許文献１】特開２００６−２２８７５９号公報（図１）
【発明の概要】
【発明が解決しようとする課題】
【００１２】
ところで、上述した従来の圧着端子は、加締め圧力が不十分な場合、導体圧着部１１の剛性の不足により、導体加締片１１Ｂが外側に開きやすくなり、導体に対する接圧が逃げてしまうことがあった。
【００１３】
本発明は、上記事情を考慮し、導体に対する十分な接圧を確保することのできる圧着端子の圧着構造を提供することを目的とする。
【課題を解決するための手段】
【００１４】
上記課題を解決するために、請求項１の発明の圧着端子の圧着構造は、端子長手方向の前部に電気接続部が設けられ、その後部に第１の繋ぎ部を介して、電線の端末の導体に圧着して接続される導体圧着部が設けられ、さらにその後部に第２の繋ぎ部を介して被覆加締部が設けられ、前記導体圧着部が、底板と、該底板の左右両側縁から上方に延設されて該底板の内面上に配された前記導体を包むように加締められる一対の導体加締片と、で断面略Ｕ字状に形成され、前記第１の繋ぎ部と第２の繋ぎ部が共に、底板と、該底板の左右両側縁から上方に起立した低背の側板と、で断面Ｕ字状に形成され、前記導体圧着部の底板と前記第１および第２の繋ぎ部の底板とが連続して形成され、前記導体圧着部の導体加締片の下半部と前記第１および第２の繋ぎ部の低背の側板とが連続して形成されている圧着端子の圧着構造において、前記左右の導体加締片の上半部の前端縁と前記第１の繋ぎ部の左右の低背の側板の上端縁との間、および、前記左右の導体加締片の上半部の後端縁と前記第２の繋ぎ部の左右の低背の側板の上端縁との間の少なくともいずれかに一方に、前記導体加締片から繋ぎ部への移行を滑らかにするための略三角形状の繋ぎ出し部が設けられており、圧着後の状態における前記繋ぎ部の外幅寸法をＬ１とし、前記左右の導体加締片の端縁と前記繋ぎ出し部の結合点の左右間寸法をＬ２とした場合、（１／２）Ｌ１≦Ｌ２＜Ｌ１に設定されていることを特徴としている。
【発明の効果】
【００１５】
請求項１の発明によれば、左右の導体加締片の端縁と繋ぎ部の側板の上端縁との間に繋ぎ出し部を設け、圧着後の状態における繋ぎ部の外幅寸法をＬ１とし、左右の導体加締片の端縁と繋ぎ出し部の結合点の左右間寸法をＬ２とした場合、（１／２）Ｌ１≦Ｌ２＜Ｌ１に設定しているので、繋ぎ出し部にクラックを生じることなく、導体加締片の曲げ剛性を強化することができる。そのため、加締めた導体加締片を開きにくくすることができ、導体に対する端子の接圧を高く維持することができて、電気接続性能の向上を図ることができる。
【図面の簡単な説明】
【００１６】
【図１】本発明の実施形態の圧着端子の構成を示す斜視図である。
【図２】同圧着端子の導体圧着部の圧着後の状態を示す平面図である。
【図３】従来の圧着端子の構成を示す斜視図である。
【発明を実施するための形態】
【００１７】
以下、本発明の実施形態を図面を参照して説明する。
【００１８】
図１は実施形態の圧着端子の構成を示す斜視図、図２は同圧着端子の導体圧着部の圧着後の状態を示す平面図である。
【００１９】
図１に示すように、この圧着端子１は、端子の長手方向（接続する電線の導体の長手方向でもある）の前部に、相手コネクタ側の端子に接続される電気接続部１０を備え、その後部に、電線（図示略）の端末の露出した導体Ｗａ（図２参照）に加締められる導体圧着部１１を備え、さらにその後部に、電線の絶縁被覆の付いた部分に加締められる被覆加締部１２を備えている。また、電気接続部１０と導体圧着部１１の間に、それらの間を繋ぐ第１の繋ぎ部１３を備え、導体圧着部１１と被覆加締部１２の間に、それらの間を繋ぐ第２の繋ぎ部１４を備えている。
【００２０】
導体圧着部１１は、底板１１Ａと、該底板１１Ａの左右両側縁から上方に延設されて該底板１１Ａの内面上に配された電線の導体を包むように加締められる一対の導体加締片１１Ｂ，１１Ｂとで断面略Ｕ字状に形成されている。また、被覆加締部１２は、底板１２Ａと、該底板１２Ａの左右両側縁から上方に延設されて該底板１２Ａの内面上に配された電線（絶縁被覆の付いた部分）を包むように加締められる一対の被覆加締片１２Ｂ，１２Ｂとで断面略Ｕ字状に形成されている。
【００２１】
また、導体圧着部１１の前後の第１の繋ぎ部１３および第２の繋ぎ部１４は、共に、底板１３Ａ、１４Ａと、該底板１３Ａ、１４Ａの左右両側縁から上方に起立した低背の側板１３Ｂ、１４Ｂと、で断面Ｕ字状に形成されている。
【００２２】
そして、前部の電気接続部１０の底板（図示略）から最後部の被覆加締部１２までの範囲の底板（第１の繋ぎ部１３の底板１３Ａ、導体圧着部１１の底板１１Ａ、第２の繋ぎ部１４の底板１４Ａ、被覆加締部１２の底板１２Ａ）が、１枚の帯板状に連続して形成されている。また、第１の繋ぎ部１３の低背の側板１３Ｂの前後端は、電気接続部１０の側板（符号省略）の後端および導体圧着部１１の導体加締片１１Ｂの前端の各下半部にそれぞれ連続し、第２の繋ぎ部１４の低背の側板１４Ｂの前後端は、導体圧着部１１の導体加締片１１Ｂの後端および被覆加締部１２の被覆加締片１２Ｂの前端の各下半部にそれぞれ連続している。
【００２３】
また、左右の導体加締片１１Ｂ，１１Ｂの上半部の前端縁と第１の繋ぎ部１３の左右の低背の側板１３Ｂの上端縁との間には、導体加締片１１Ｂから繋ぎ部１３の側板１３Ｂへの移行を滑らかにするための略三角形状の繋ぎ出し部１３Ｃが設けられている。
【００２４】
また、導体圧着部１１の内面には、電線の導体の長手方向（端子長手方向）と直交する方向に延びる複数本の凹溝状のセレーション１８が設けられている。
【００２５】
この圧着端子１の導体圧着部１１を電線の端末の導体に圧着するには、図示しない下型（アンビル）の載置面（上面）上に圧着端子１００を載せると共に、電線の端末の導体を導体圧着部１１の導体加締片１１Ａ間に挿入し、底板１１Ａの上面に載せる。そして、上型（クランパ）を下型に対して相対的に下降させることにより、上型の案内斜面で導体加締片１１Ｂの先端側を徐々に内側に倒して行く。
【００２６】
そして、さらに上型（クランパ）を下型に対して相対的に下降させることにより、最終的に、上型の案内斜面から中央の山形部に連なる湾曲面で、導体加締片１１Ｂの先端を導体側に折り返すように丸めて、導体加締片１１Ｂの先端同士を擦り合わせながら導体に食い込ませることにより、導体を包むように導体加締片１１Ｂを加締める。
【００２７】
以上の操作により、圧着端子１の導体圧着部１１を電線の導体に圧着によって接続することができる。なお、被覆加締部１２についても同様に、下型と上型を用いて被覆加締片１２Ｂを内側に徐々に曲げて行き、被覆加締片１２Ｂを電線の絶縁被覆の付いた部分に加締める。こうすることにより、圧着端子１を電線に電気的および機械的に接続することができる。
【００２８】
このように圧着したことにより、図２に示すような圧着構造が得られる。
【００２９】
この圧着後の状態においては、次のような寸法関係が成立している。即ち、繋ぎ部１３の両側板１３Ｂの外幅寸法をＬ１とし、左右の導体加締片１１Ｂの端縁と繋ぎ出し部１３の結合点の左右間寸法をＬ２とした場合、（１／２）Ｌ１≦Ｌ２＜Ｌ１の条件が成立している。
【００３０】
これにより、繋ぎ出し部１３Ｃにクラックを生じることなく、導体加締片１１Ｂの曲げ剛性を強化することができる。即ち、繋ぎ出し部１３Ｃが、矢印Ａで示すように内方へ向けての剛性を強化するため、導体加締片１１Ｂの曲げ剛性が高まる。そのため、加締めた導体加締片１１Ｂを開きにくくすることができ、導体Ｗａに対する端子の接圧を高く維持することができて、電気接続性能の向上を図ることができる。
【００３１】
なお、導体圧着部１１と後側の第２の繋ぎ部１４の間に関しても同様の構成を付加することができる。つまり、左右の導体加締片１１Ｂの上半部の後端縁と第２の繋ぎ部１４の左右の低背の側板１４Ｂの上端縁との間に、前記と同様の繋ぎ出し部を設けることにより、前記と同様の効果を得ることができる。
【符号の説明】
【００３２】
１  圧着端子
１０  電気接続部
１１  導体圧着部
１１Ａ  底板
１１Ｂ  導体加締片
１２  被覆加締部
１３  繋ぎ部
１３Ａ  底板
１３Ｂ  側板
１３Ｃ  繋ぎ出し部
Ｗａ  導体
【図１】
2011103264.tif 000003
【図２】
2011103264.tif 000004
【図３】
2011103264.tif 000005